(57)【特許請求の範囲】
【請求項１】
外部記憶媒体に記録された表示情報を読み出す読み出し手段と、
該読み出し手段により読み出された１ページ分の表示情報を表示する表示手段とを備えた電子ブック装置において、
読者の顔を撮影するための撮像手段と、
該撮像手段で撮像された読者の顔から、読者の注視点を算出する注視点算出手段と、
該注視点算出手段で求められた読者の注視点に基づき、前記読み出し手段に対して前記表示手段で表示される表示情報のページを切り替えるよう制御するページめくり判定手段とを設け、
前記ページめくり判定手段は、読者の注視点が１ページ分の表示情報の行数回移動したときに、表示情報のページを切り替えるよう制御することを特徴とする電子ブック装置。
【請求項２】
前記請求項１に記載の電子ブック装置において、
前記注視点算出手段で求められた読者の注視点に基づき、前記表示手段で表示される表示情報の表示形態を切り替えるよう制御する表示制御手段とを設けたことを特徴とする電子ブック装置。
【請求項３】
前記請求項２に記載の電子ブック装置において、
前記注視点算出手段で求められた読者の注視点を記憶する記憶手段を設け、
前記表示制御手段は、該記憶手段で記憶された既視の表示情報の表示形態を切り替えるよう制御することを特徴とする電子ブック装置。
【請求項４】
前記請求項２又は３に記載の電子ブック装置において、
前記表示制御手段は、読者の注視点に位置する表示情報、又は既視の表示情報に対して、少なくとも色、フォント、サイズのうちいずれか一つを切り替えるよう制御することを特徴とする電子ブック装置。
【発明の詳細な説明】
【０００１】
【発明の属する技術分野】
本発明は、外部記憶媒体に記録された書物，新聞，雑誌などの文字，グラフィックス，画像等の内容を読み出して表示する電子ブック装置に関するものである。
【０００２】
【従来の技術】
近年、大量の情報を記録することができる例えばＣＤ−ＲＯＭ等の光ディスクが開発され、このような記録媒体に書物，新聞，雑誌などの文字，グラフィックス，画像等の内容を保存し、表示すべき情報（データ）をキー操作により読み出し、表示画面に割り付けて表示する電子ブック装置が知られている。
【０００３】
従来のこの種の電子ブック装置について、図９及び図１０とともに、以下説明する。ここで、図９は従来の電子ブック装置の外観を示す斜視図、図１０は従来の電子ブック装置の概略構成を示すブロック図である。
【０００４】
図９において、１は各種書籍本の文字，画像等の情報が記録されたＣＤ−ＲＯＭ等の外部記憶媒体、２は該外部記憶媒体１を挿入するための記録媒体挿入部、３は前記記憶媒体１に記憶されている書籍本の１ページ分の情報を表示するＬＣＤ等の表示部である。
【０００５】
４は機能のメニューを表示部３に表示操作するメニューキー、５ａは表示部３に表示されたページを次のページに送る次ページキー、５ｂは表示部３に表示されたページを前のページに戻す前ページキー、６はメニューキー４により表示された機能メニューの内の何れかを選択する機能選択キー、７はメニュー及び機能を取り消す取り消しキーである。
【０００６】
図１０において、５は次ページキー５ａ及び前ページキー５ｂからなるページキー、１２はページキー５の操作を検出するキー操作検出部、１３は当該ページキー操作が検出されたときに、記憶媒体１から次のページの表示情報を読み出す読出し表示制御部、１４は読出し表示制御部１３により読み出された次のページの表示情報を一旦格納し、該表示情報を読出し表示制御部１３からの指示に応じて表示部３に出力する記憶部である。
【０００７】
上記のように構成してなる電子ブック装置においては、ページキー５が操作されると、キー操作検出部１２でその操作があったことが検出され、読出し表示制御部１３は記憶部１４に格納されている表示情報を表示部３に転送するとともに、記憶媒体１から次のページの表示情報を読み出し、表示部３で表示する形態に作成した後、記憶部１４に格納する。
【０００８】
これによって、表示部３であるページを表示している間に、記憶媒体１から次のページの表示情報を読み出して、記憶部１４に格納しておくことにより、読者のページめくりの要求に応じて、迅速に応答表示を行うことができる。
【０００９】
ところが、上述した電子ブック装置の場合、読者が指先で次ページキー５ａ又は前ページキー５ｂを操作して、表示画面のページ単位の切り替えを行う必要があり、電車内などで手が自由に使えない場合、操作性が悪いという問題があり、この問題を解決するために、例えば特開平７−１４１３９８号公報、特開平７−１６８８５２号公報には、読者に合わせた自動ページ送りを可能とするものが提案されている。
【００１０】
これによれば、読者の個人差に応じて、１ページを読み取る所要時間を算出することにより、読者は自身に最適なページめくり時間により自動ページ送りを実行することができ、ページめくりのためのキー操作を不要とすることが可能となっている。
【００１１】
【発明が解決しようとする課題】
しかしながら、上述した従来の電子ブック装置においては、読者が１ページを読み取る所要時間の平均値を算出し、この平均値に基づいて自動ページ送りを行っているため、必ずしも１ページの表示時間が読者にとって最適なページめくり時間とはならないという問題があった。
【００１２】
すなわち、読者の疲労度や読書環境などに応じて、１ページを読み取る時間は常に変化するため、一定の時間単位で自動ページ送りを行った場合、１ページの表示時間が読者にとって長過ぎたり、短過ぎたりすることが発生し、使い勝手が悪くなるという問題があった。
【００１３】
本発明は、上述したような点に鑑みてなされたものであり、ページめくりのためのキー操作を必要とせず、常に読者の要求通りに自動ページめくりを実現することができる電子ブック装置を提供することを目的とする。
【００１４】
【課題を解決するための手段】
本願請求項１に記載の発明に係る電子ブック装置は、外部記憶媒体に記録された表示情報を読み出す読み出し手段と、該読み出し手段により読み出された１ページ分の表示情報を表示する表示手段とを備えた電子ブック装置において、読者の顔を撮影するための撮像手段と、該撮像手段で撮像された読者の顔から、読者の注視点を算出する注視点算出手段と、該注視点算出手段で求められた読者の注視点に基づき、前記読み出し手段に対して前記表示手段で表示される表示情報のページを切り替えるよう制御するページめくり判定手段とを設け、前記ページめくり判定手段は、読者の注視点が１ページ分の表示情報の行数回移動したときに、表示情報のページを切り替えるよう制御するものである。
【００１５】
これによって、読者の注視点に基づいて、表示手段で表示される表示情報のページを自動的に切り替えることができるので、ページめくりのためのキー操作を必要とせず、常に読者の要求通りに自動ページめくりを行うことが可能となるとともに、読者の注視点が１ページ分の表示情報の行数回移動したときに、表示情報のページを自動的に切り替えることができるので、より確実に、読者の要求通りに自動ページめくりを行うことが可能となる。
【００２０】
本願請求項２に記載の発明に係る電子ブック装置は、前記請求項１に記載の電子ブック装置において、前記注視点算出手段で求められた読者の注視点に基づき、前記表示手段で表示される表示情報の表示形態を切り替えるよう制御する表示制御手段とを設けたものである。
【００２１】
これによって、読者の注視点に基づいて、表示手段における表示情報の表示形態を自動的に切り替えることができるので、読者は自身の注視点が表示画面上のどの位置にあるかを確認することができ、視線による要求入力を確実に行うことが可能となる。
【００２２】
本願請求項３に記載の発明に係る電子ブック装置は、前記請求項２に記載の電子ブック装置において、前記注視点算出手段で求められた読者の注視点を記憶する記憶手段を設け、前記表示制御手段は、該記憶手段で記憶された既視の表示情報の表示形態を切り替えるよう制御するものである。
【００２３】
これによって、既視の表示情報を記憶手段に記憶しておき、この既視の表示情報を再び表示手段で表示する際には、既視の表示情報の表示形態を自動的に切り替えることができるので、読者は既視の表示情報と未読の表示情報との区別を、表示形態の違いにより容易に理解することが可能となる。
【００２４】
本願請求項４に記載の発明に係る電子ブック装置は、前記請求項２又は３に記載の電子ブック装置において、前記表示制御手段は、読者の注視点に位置する表示情報、又は既視の表示情報に対して、少なくとも色、フォント、サイズのうちいずれか一つを切り替えるよう制御するものである。
【００２５】
これによって、読者の注視点に位置する表示情報、又は既視の表示情報に対して、その表示色、フォント、サイズを切り替えて表示することができるので、簡単な構成で、読者は自身の注視点が表示画面上のどの位置にあるかを、表示色、フォント、サイズの違いによって容易に確認することができる。また、既視の表示情報と未読の表示情報との区別を、表示色、フォント、サイズの違いにより容易に理解することも可能である。
【００２６】
【発明の実施の形態】
以下、本発明の電子ブック装置の第１実施形態を、図１乃至図５とともに説明するが、上記従来例と同一部分には同一符号を付し、その説明は省略する。
【００２７】
ここで、図１は本実施形態の電子ブック装置の外観を示す斜視図、図２は本実施形態の電子ブック装置の概略構成を示すブロック図、図３は本実施形態の電子ブック装置における表示部の表示画面の一例を示す説明図、図４は本実施形態の電子ブック装置における表示部の具体例を示す機能ブロック図、図５は本実施形態の電子ブック装置におけるページめくり判定部の動作を示すフローチャートである。
【００２８】
本実施形態の電子ブック装置は、図１に示すように、表示部２３の表示画面と同一面にレンズ窓を有し、読者の顔を撮影するための撮像部８と、表示部３で表示される表示情報のページめくり動作における自動／手動モードを切り替えるためのモード切替キー９とを設けている。
【００２９】
また、図２において、１０は撮像部８より入力された読者の顔画像に基づいて、表示部２３の表示画面（ディスプレイ）上における読者の注視点を算出する注視点算出部であり、例えば顔上の数点と瞳孔の空間位置情報をステレオ画像計測等により計測する方法や、顔の向き検出にモザイク特徴を用いるアスペクト法等により画像データを低減した方法などの一般的に知られた方法を利用して、読者の視線の方向、及び視線の表示画面との交点である注視点を算出するものである。
【００３０】
１１は注視点算出部１０にて求められた読者の注視点から、読者が表示情報を次ページ或いは前ページに切り替えることを要求しているか否かを判定するページめくり判定部であり、ここでは、読者が表示部２３の表示画面上の左下部分を注視している場合、次ページに切り替えることを要求し、表示部２３の表示画面上の右上部分を注視している場合、前ページに切り替えることを要求しているものと判定する。
【００３１】
２１はページめくり判定部１１とキー操作検出部１２との出力を切り替え選択して、読出し表示制御部１３に入力するための切替選択部、２２はモード切替キー９の操作を検出するキー操作検出部であり、自動ページめくりモードの設定が検出された場合、切替選択部２１に対して、ページめくり判定部１１の出力を選択するよう切り替え制御を行うとともに、表示部２３に対して、図３に示すような前ページアイコン２４及び次ページアイコン２５をスーパーインポーズ表示するように制御を行う。
【００３２】
尚、上記構成において、注視点算出部１０で求められた読者の注視点情報は、記憶媒体１及び表示部２３にも出力され、記憶媒体１ではこの注視点情報を更新保持することにより、読者に既視された表示情報に対応する既視データを一対で記憶する。また、この注視点情報に基づいて、表示部２３では読者の注視点に位置する表示情報に対してのみ、その表示色、文字フォント、文字サイズを切り替える。
【００３３】
すなわち、本実施形態における表示部２３は、図４に示すように、キー操作検出部２２からのモード切替信号に基づき、記憶部１４より転送された表示情報に対して、前ページアイコン２４及び次ページアイコン２５をスーパーインポーズ制御するアイコン表示制御部２６と、入力表示情報に対応する既視データの有無を判別する既視データ判別部２７とを備えている。
【００３４】
また、注視点算出部１０からの注視点情報、及び既視データ判別部２７での判別結果に基づいて、読者の注視点に位置する表示情報、及び既視の表示情報に対して、ディスプレイ２９に表示する表示色、文字フォント、文字サイズを可変制御する表示色／フォント／サイズ制御部２８を備えている。
【００３５】
上記のように構成してなる電子ブック装置においては、まず、モード切替キー９を操作して、表示部２３で表示される表示情報のページめくり動作における自動／手動モードを切り替える。このとき、自動ページめくりモードが設定されると、キー操作検出部２２は切替選択部２１に対して、ページめくり判定部１１の出力を選択するよう切り替え制御を行うとともに、表示部２３のアイコン表示制御部２６に対して、前ページアイコン２４及び次ページアイコン２５を表示するように制御を行う。
【００３６】
従って、自動ページめくりモードの場合、読出し表示制御部１３は、ページめくり判定部１１の出力に基づき、記録媒体１から所望のページの表示情報を読み出して、記憶部１４に出力するとともに、記憶部１４に記憶された表示情報を表示部２３に転送して表示することができる。
【００３７】
ここで、注視点算出部１０の出力に基づいて、表示部２３の表示色／フォント／サイズ制御部２８では、読者の注視点が位置する表示文字或いはアイコン等の表示情報の表示色を白黒反転したり、文字フォント、文字サイズを可変するなどして切り替えているので、例えば読者が前ページアイコン２４又は次ページアイコン２５を注視すると、注視された前ページアイコン２４又は次ページアイコン２５の表示色、フォント、サイズが変化するため、視線による要求入力を確実に行うことが可能である。
【００３８】
また、注視点算出部１０の出力に基づいて、記憶媒体１では読者に既視された表示情報の範囲を既視データとして記憶しているため、今後再び読み出されて表示される表示情報においては、既視の表示情報と未読の表示情報とを区別して異なる色、フォント、サイズで表示することが可能となっている。
【００３９】
次に、本実施形態のページめくり判定部１１の動作について、図５のフローチャートとともに詳述する。まず、注視点算出部１０で求められた読者の注視点が表示部２３の表示画面（ディスプレイ）に表示された前ページアイコン２４内にあるか否かを検知し（ステップ１）、前ページアイコン２４内にある場合、この状態が３秒以上継続したか否かを検出する（ステップ２）。
【００４０】
一方、読者の注視点が前ページアイコン２４内にない場合、次ページアイコン２５内にあるか否かを検知し（ステップ３）、次ページアイコン２５内にある場合、この状態が３秒以上継続したか否かを検出する（ステップ４）。尚、読者の注視点が前ページアイコン２４内にも次ページアイコン２５内にもないときは、ページめくりは要求されていないものと判定して、スタートに戻る。
【００４１】
そして、読者の注視点が前ページアイコン２４内に３秒以上ある場合は、前ページへ戻すよう要求されているものと判定して、切替選択部２１を介して、読出し表示制御部１３へ制御信号を出力する（ステップ５）。また、読者の注視点が次ページアイコン２５内に３秒以上ある場合は、次ページへ送るよう要求されているものと判定して、切替選択部２１を介して、読出し表示制御部１３へ制御信号を出力する（ステップ６）。
【００４２】
尚、読者の注視点が前ページアイコン２４又は次ページアイコン２５内にある時間が３秒未満の場合は、ページめくりは要求されていないものと判定して、スタートに戻る。
【００４３】
以上のように、本実施形態の電子ブック装置においては、表示部２３の表示画面上に前ページアイコン２４又は次ページアイコン２５を表示し、読者が各々のアイコン２４，２５を３秒以上注視している場合は、表示情報のページ切り替えを要求しているものと判定して、前ページに戻したり、次ページに送ったりすることができるので、ページめくりのための手動キー操作を必要とせず、常に読者の要求通りに自動ページめくりを実現することができる。
【００４４】
また、注視点算出部１０の出力に基づいて、表示部２３では読者が注視している位置の表示情報の色、フォント、サイズを変えているので、視線による要求入力を確実に行うことができる。さらに、注視点算出部１０の出力は、記憶媒体１で既視データとして保持されているので、再び読み出されて表示される場合には、既視の表示情報と未読の表示情報とを区別して異なる色、フォント、サイズで表示することが可能となり、読者はどこまで読んだか等を容易に知ることができる。
【００４５】
尚、上記実施形態においては、より使い勝手を向上させるために、表示部２３の表示画面上に前ページアイコン２４又は次ページアイコン２５を表示するようにしているが、必ずしもこれを表示する必要はなく、例えば単に表示画面の右下隅を前ページ戻しを要求するための注視位置、左上隅を次ページ戻しを要求するための注視位置として予め設定しておいても良い。
【００４６】
また、ページめくり判定の精度を向上させるために、前ページアイコン２４又は次ページアイコン２５の注視時間が３秒以上のときに、ページめくりが要求されているものと判定しているが、この注視時間はページめくり判定の正確さと速さに応じて任意に設定することができる。
【００４７】
さらに、ページめくり判定部１１の出力とキー操作検出部１２の出力とを、切替選択部２１で切り替えて、いずれか一方のみを読出し表示制御部１３へ入力しているが、ページめくり判定部１１とキー操作検出部１２との出力双方を用いて、読出し表示制御部１３を制御するように構成しても良い。
【００４８】
そしてまた、表示部２３では新規な１ページ分の表示情報に対して、読者が現在注視している位置の表示情報のみ色、フォント、サイズを変えているが、一旦色、フォント、サイズを変えた表示情報に対してはそのままの色、フォント、サイズで表示し、既に注視した表示情報の全てを異なる色、フォント、サイズで表示するようにしても良い。ここで、必ずしも表示色、フォント、サイズの全てを可変する必要はなく、必要に応じて少なくとも一つを変えるようにすれば良いことは言うまでもない。
【００４９】
次に、本発明の電子ブック装置の第２実施形態を、図６乃至図８とともに説明するが、上記第１実施形態と同一部分には同一符号を付し、その説明は省略する。
【００５０】
ここで、図６は本実施形態の電子ブック装置の概略構成を示すブロック図、図７は本実施形態の電子ブック装置における表示部の表示画面の一例を示す説明図、図８は本実施形態の電子ブック装置におけるページめくり判定部の動作を示すフローチャートである。
【００５１】
本実施形態の電子ブック装置は、図６に示すように、表示部２３で表示されている１ページ分の表示情報の行数を検出する行数検出部３０と、該行数検出部３０で検出された１ページ分の行数と、注視点算出部１０にて求められた読者の注視点の移動回数とから、表示情報を次ページ或いは前ページに切り替えるべきか否かを判定するページめくり判定部３１とを設けている。
【００５２】
このページめくり判定部３１は、読者の注視点が表示部２３の表示画面（ディスプレイ）上で、上→下→左上へと移動した回数ａ、または下→上→右下へと移動した回数ｂを計数し、図７に示すような表示部３の表示画面上の行数ｃと比較して、ａ＝ｃとなった場合、次ページに切り替えるべきであると判定するとともに、ｂ＝ｃとなった場合、前ページに切り替えるべきであると判定する。
【００５３】
尚、キー操作検出部３２は、モード切替キーの操作を検出し、自動ページめくりモードが設定された場合は、切替選択部２１に対して、ページめくり判定部１１の出力を選択するよう切り替え制御を行うものである。
【００５４】
次に、本実施形態のページめくり判定部３１の動作について、図８のフローチャートとともに詳述する。まず、注視点算出部１０で求められた読者の注視点が表示部２３の表示画面において上から下、さらに左上方向に移動したか否かを検知し（ステップ１）、上から下、さらに左上方向に移動した場合、この上から下への移動回数ａを計数する（ステップ２）。
【００５５】
一方、読者の注視点が下から上、さらに右下方向に移動したか否かを検知し（ステップ３）、下から上、さらに右下方向に移動した場合、この下から上への移動回数ｂを計数する（ステップ４）。尚、読者の注視点が上から下、さらに左上方向にも下から上、さらに右下方向にも移動しないときは、ページめくりは不要と判定して、スタートに戻る。
【００５６】
そして、読者の注視点の上から下への移動回数ａが、表示情報の行数ｃと一致するか否かを検出し（ステップ５）、移動回数ａが行数ｃと一致した場合は、次ページへ送る必要があるものと判定して、切替選択部２１を介して、読出し表示制御部１３へ制御信号を出力する（ステップ６）とともに、移動回数ａを０にリセットして（ステップ７）、スタートに戻る。
【００５７】
また、読者の注視点の下から上への移動回数ｂが、表示情報の行数ｃと一致するか否かを検出し（ステップ８）、移動回数ｂが行数ｃと一致した場合は、前ページへ送る必要があるものと判定して、切替選択部２１を介して、読出し表示制御部１３へ制御信号を出力する（ステップ９）とともに、移動回数ｂを０にリセットして（ステップ１０）、スタートに戻る。
【００５８】
尚、読者の注視点の移動回数ａ，ｂが表示情報の行数ｃに満たない場合は、ページめくりは不要であると判定して、スタートに戻る。
【００５９】
以上のように、本実施形態の電子ブック装置においては、表示部２３の表示画面上における全ての行を、読者が注視したことを検出した場合は、表示情報のページ切り替えが必要であると判定して、次ページに送ったり、前ページに戻したりすることができるので、ページめくりのための手動キー操作を必要とせず、常に読者の要求通りに自動ページめくりを実現することができる。
【００６０】
尚、上記実施形態においては、ページめくり判定部３１の出力とキー操作検出部１２の出力とを、切替選択部２１で切り替えて、読出し表示制御部１３へ入力しているが、ページめくり判定部３１とキー操作検出部１２との出力双方を用いて、読出し表示制御部１３を制御するように構成しても良い。
【００６１】
【発明の効果】
本願請求項１に記載の発明に係る電子ブック装置は、上述したような構成としているので、読者の注視点に基づいて、表示手段で表示される表示情報のページを自動的に切り替えることができるため、ページめくりのためのキー操作を必要とせず、常に読者の要求通りに自動ページめくりを行うことが可能となり、また、読者の注視点が１ページ分の表示情報の行数回移動したときに、表示情報のページを自動的に切り替えることができるので、より確実に、読者の要求通りに自動ページめくりを行うことが可能となる。
【００６４】
本願請求項２に記載の発明に係る電子ブック装置は、読者の注視点に基づいて、表示手段における表示情報の表示形態を自動的に切り替えることができるので、読者は自身の注視点が表示画面上のどの位置にあるかを確認することができ、視線による要求入力を確実に行うことが可能となる。
【００６５】
本願請求項３に記載の発明に係る電子ブック装置は、既視の表示情報を記憶手段に記憶しておき、この既視の表示情報を再び表示手段で表示する際には、既視の表示情報の表示形態を自動的に切り替えることができるので、読者は既視の表示情報と未読の表示情報との区別を、表示形態の違いにより容易に理解することが可能となる。
【００６６】
本願請求項４に記載の発明に係る電子ブック装置は、読者の注視点に位置する表示情報、又は既視の表示情報に対して、その表示色、フォント、サイズを切り替えて表示することができるので、簡単な構成で、読者は自身の注視点が表示画面上のどの位置にあるかを、表示色、フォント、サイズの違いによって容易に確認することができる。また、既視の表示情報と未読の表示情報との区別を、表示色、フォント、サイズの違いにより容易に理解することも可能である。
【図面の簡単な説明】
【図１】本発明の電子ブック装置の第１実施形態の外観を示す斜視図である。
【図２】本発明の電子ブック装置の第１実施形態の概略構成を示すブロック図である。
【図３】本発明の電子ブック装置の第１実施形態における表示部の表示画面の一例を示す説明図である。
【図４】本発明の電子ブック装置の第１実施形態における表示部の具体例を示す機能ブロック図である。
【図５】本発明の電子ブック装置の第１実施形態におけるページめくり判定部の動作を示すフローチャートである。
【図６】本発明の電子ブック装置の第２実施形態の概略構成を示すブロック図である。
【図７】本発明の電子ブック装置の第２実施形態における表示部の表示画面の一例を示す説明図である。
【図８】本発明の電子ブック装置の第２実施形態におけるページめくり判定部の動作を示すフローチャートである。
【図９】従来の電子ブック装置の外観を示す斜視図である。
【図１０】従来の電子ブック装置の概略構成を示すブロック図である。
【符号の説明】
１  記憶媒体
５  ページキー
９  モード切替キー
１０  注視点算出部
１１  ページめくり判定部
１２  キー操作検出部
１３  読出し表示制御部
１４  記憶部
２１  切替選択部
２２  キー操作検出部
２３  表示部
２４  前ページアイコン
２５  後ページアイコン
２６  アイコン表示制御部
２７  既視データ判別部
２８  表示色／フォント／サイズ制御部
２９  ディスプレイ
３０  行数検出部
３１  ページめくり判定部
３２  キー操作検出部
【図１】
0003567084.tif 000002
【図２】
0003567084.tif 000003
【図３】
0003567084.tif 000004
【図４】
0003567084.tif 000005
【図５】
0003567084.tif 000006
【図６】
0003567084.tif 000007
【図７】
0003567084.tif 000008
【図８】
0003567084.tif 000009
【図９】
0003567084.tif 000010
【図１０】
0003567084.tif 000011